【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
長手方向長さと湾曲断面プロファイルとを有するコンベヤベルトと、
前記コンベヤベルトの前記長手方向長さに沿って配置された複数のトラフ部であって、各トラフ部が、前記コンベヤベルトの下に配置されており、各トラフ部の頂面より上に前記コンベヤベルトを支持するために空気を受けるための少なくとも１つの開口を画定する、前記複数のトラフ部と、
少なくとも１つの空気供給ライン、及び、
前記少なくとも１つの空気供給ラインと流体連通して配置された複数の空気マニホルド、
を備える空気配送サブシステムであって、各空気マニホルドが単一のトラフ部に連絡し、前記単一のトラフ部の少なくとも１つの開口と流体連通した、
前記空気配送サブシステムと
を備える、
長手方向軸を有する空気支持ベルトコンベヤシステム。
【請求項２】
前記複数のトラフ部の隣接するトラフ部が密封接続されていない、
請求項１に記載のシステム。
【請求項３】
前記空気配送サブシステムが、複数の流量制御弁をさらに備え、
各流量制御弁が、少なくとも１つの空気マニホルド及び前記少なくとも１つの空気供給ラインと流体連通して配置されており、前記少なくとも１つの空気供給ラインから前記少なくとも１つの空気マニホルドへの空気流の選択的な調整を可能にするように構成されている、
請求項１に記載のシステム。
【請求項４】
各流量制御弁に通信可能に結合されており、各流量制御弁の位置を調整してそれぞれのトラフ部の前記少なくとも１つの開口への前記複数の空気マニホルドを通る空気の配送を選択的に制御することによって前記コンベヤベルトを支持するように構成されたプロセッサをさらに備える、
請求項３に記載のシステム。
【請求項５】
前記空気配送サブシステムが、複数の分岐導管をさらに備え、
各分岐導管が、前記少なくとも１つの空気供給ラインと前記少なくとも１つの空気マニホルドとの間で延在する、
請求項４に記載のシステム。
【請求項６】
各流量制御弁が、それぞれの分岐導管と流体連通して配置されている、
請求項５に記載のシステム。
【請求項７】
複数のセンサをさらに備え、
各センサが、それぞれの分岐導管と流体連通して配置されており、
各センサが、前記プロセッサに通信可能に結合されており、
各センサが、圧力センサ、流量センサ、及びそれらの組合せからなる群から選択される、
請求項５に記載のシステム。
【請求項８】
各センサが、対応する分岐導管内の流体圧または流量を示す出力を生成するように構成されており、
前記プロセッサが、前記センサからの前記出力を受信し、前記対応する分岐導管と流体連通して配置された前記マニホルドへの空気流を選択的に調整するように構成されている、
請求項７に記載のシステム。
【請求項９】
前記プロセッサが、それぞれの分岐導管と流体連通して配置された前記センサからの前記出力の受信に応答して、前記分岐導管と流体連通して配置された前記流量制御弁の前記位置を調整することによって対応する前記マニホルドへの空気流を調整するように構成されている、
請求項８に記載のシステム。
【請求項１０】
前記少なくとも１つのトラフ部の少なくとも１つの開口が、複数の開口を備える、
請求項１に記載のシステム。
【請求項１１】
少なくとも１つのトラフ部が、
前記複数の空気マニホルドのうちの第１の空気マニホルドと流体連通して配置された少なくとも１つの開口と、
前記複数の空気マニホルドのうちの第２の空気マニホルドと流体連通して配置された少なくとも１つの開口と
を備える、
請求項１０に記載のシステム。
【請求項１２】
各トラフ部の前記少なくとも１つの開口が、複数の開口を備える、
請求項１に記載のシステム。
【請求項１３】
各マニホルドが、それぞれのトラフ部の底面に、取り外し可能に固定されている、
請求項１に記載のシステム。
【請求項１４】
各マニホルドが、非金属材料を備える、
請求項１に記載のシステム。
【請求項１５】
各トラフ部が、対向する第１の端縁部及び第２の端縁部を有し、
前記複数のトラフ部が、前記空気供給ラインと流体連通しない複数の接合部で結合されており、
前記複数のトラフ部の前記連続するトラフ部の前記端縁部が、互いに当接している、
請求項１に記載のシステム。
【請求項１６】
前記複数の接合部の少なくとも１つが、気密接続を備えない、
請求項１５に記載のシステム。
【請求項１７】
複数のトラフ位置合わせ要素をさらに備え、
各トラフ位置合わせ要素が、連続するトラフ部の間のそれぞれの接合部に配置されており、
各トラフ位置合わせ要素が、前記長手方向軸に対して前記連続するトラフ部の内面の間に位置合わせをもたらす、
請求項１５に記載のシステム。
【請求項１８】
前記複数のトラフ位置合わせ要素が、複数のサドルを備え、
各トラフ部が、対向する下面及び上面を有し、
各サドルが、連続するトラフ部の前記下面の形状に相補的である形状を有する上面を有し、
各サドルの前記上面が、前記長手方向軸に対して前記連続するトラフ部の間に位置合わせをもたらす、
請求項１７に記載のシステム。
【請求項１９】
複数の留め具をさらに備え、
各留め具が、それぞれの接合部でトラフ部をサドルに固定するように構成されている、
請求項１８に記載のシステム。
【請求項２０】
各接合部の前記複数の留め具が、対応するサドルの前記上面と接触して各トラフ部の前記下面を配置するように構成されている、
請求項１９に記載のシステム。
【請求項２１】
各トラフ部が可撓性材料を備え、
各サドルが、上に重なるトラフ部に、対応する形状をもたらすように構成されている、
請求項２０に記載のシステム。
【請求項２２】
前記複数のトラフ位置合わせ要素が、複数のバンドを備え、各バンドが、それぞれの接合部でそれぞれのトラフ部の前記隣接する端縁部の下に配置するために構成されている、
請求項１７に記載のシステム。
【請求項２３】
前記複数のトラフ部が、少なくとも１つの湾曲トラフ部を備え、
各湾曲トラフ部が、基準面内に曲線プロファイルを有するように形成されており、
各トラフ部の少なくとも一部が、前記空気支持ベルトコンベヤの少なくとも一部の湾曲を画定する、
請求項１に記載のシステム。
【請求項２４】
前記基準面が、垂直軸に垂直である短手方向の基準面であり、
少なくとも１つの湾曲トラフ部が、前記短手方向の基準面内で曲線プロファイルを有する、
請求項２３に記載のシステム。
【請求項２５】
前記少なくとも１つの空気供給ラインが、一次空気供給ラインを備え、
前記空気配送サブシステムが、前記一次空気供給ラインと一列に並べて配置された複数の流量制御弁をさらに備え、
前記複数の流量制御弁が、前記一次空気供給ラインを複数の流量制御ゾーンに分割し、
前記複数の空気マニホルドの少なくとも１つの空気マニホルドが、各流量制御ゾーン内で前記一次空気供給と流体連通して配置されている、
請求項２３に記載のシステム。
【請求項２６】
少なくとも１つのトラフ部を曲げて少なくとも１つの湾曲トラフ部の前記曲線プロファイルを形成することを含む、
請求項２３に記載のシステムのトラフ部の製造方法。
【請求項２７】
非鉄材料を成形して少なくとも１つの湾曲トラフ部を形成することを含む、
請求項２３に記載のシステムのトラフ部の製造方法。
【請求項２８】
空気支持ベルトコンベヤシステムを組み立てるためのキットであって、
前記キットは、
長手方向長さと湾曲断面プロファイルとを有するコンベヤベルトと、
複数のトラフ部と、
少なくとも１つの空気供給ライン、及び、
前記少なくとも１つの空気供給ラインと流体連通して配置された複数の空気マニホルド、
を備える空気配送サブシステムと、
を備え、
各トラフ部が、対向する第１の端部及び第２の端部と、対向する下面及び上面とを有して、少なくとも１つの開口を画定し、
前記複数のトラフ部の各トラフ部の各端部が、別のトラフ部の前記端部に選択的な結合のために構成されており、
前記複数のトラフ部が協働して、前記コンベヤベルトの長さに沿って前記コンベヤベルトを支持するように構成されており、
前記複数のマニホルドの各マニホルドが、前記マニホルドが前記トラフ部の少なくとも１つの開口と流体連通するように、それぞれのトラフ部の前記下面に選択的に取付け可能であり、
前記トラフ部が、多層構成で提供される、
請求項１に記載の空気支持ベルトコンベヤシステムを組み立てるためのキット。
【請求項２９】
空気支持ベルトコンベヤの組立方法であって、
キットを受け取ることを含み、
前記キットは、
長手方向長さと湾曲断面プロファイルとを有するコンベヤベルトと、
複数のトラフ部と、
少なくとも１つの空気供給ライン、及び、
前記少なくとも１つの空気供給ラインと流体連通して配置された複数の空気マニホルド、
を備える空気配送サブシステムと、
を備え、
前記組立方法は、さらに、
前記複数のトラフ部の前記端部を選択的に結合することと、
それぞれのトラフ部に前記複数のマニホルドのうちの少なくとも１つのマニホルドを選択的に取り付けることと
を含む、
空気支持ベルトコンベヤの組立方法。